【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
ワイヤレス通信の方法において、
近接サービスＰｒｏＳｅ発見通信を使用して、ユーザデバイスから、第１の表現をブロードキャストし、前記第１の表現は、サービスの第１のアナウンスを含み、
ＰｒｏＳｅ発見通信を使用して、前記ユーザデバイスから、第２の表現をブロードキャストし、前記第２の表現は、前記ユーザデバイスのロケーションと前記第１のアナウンスに関係付けられている識別子とを含むことにより特徴付けられる方法。
【請求項２】
前記第１の表現は、パブリックな表現であり、前記第２の表現は、プライベートな表現である請求項１記載の方法。
【請求項３】
前記第２の表現は、前記ユーザデバイスの移動量に少なくとも部分的に基づいて、選択的にブロードキャストされ、または、
前記方法は、前記ユーザデバイスの移動量が予め決定されているしきい値を下回る場合、前記第１のアナウンスとのアソシエーションのために、前記ユーザデバイスのロケーションを表現メタデータサーバに送信することをさらに含む請求項１記載の方法。
【請求項４】
前記識別子を発生させることと、
前記第１のアナウンスとのアソシエーションのために、前記識別子を表現メタデータサーバに送信することとをさらに含み、または、
要求を表現メタデータサーバに送信して、前記識別子を発生させて、前記識別子を前記第１のアナウンスに関係付けることをさらに含む請求項１記載の方法。
【請求項５】
前記識別子は、前記第２の表現の第１の部分中に含まれ、前記ロケーションの情報は、前記第２の表現の第２の部分中に含まれている請求項１記載の方法。
【請求項６】
前記第１の表現の１つ以上の部分の第１のハッシュを発生させることと、
前記第２の表現中に、前記第１のハッシュを含めることとをさらに含む請求項１記載の方法。
【請求項７】
前記第１のハッシュは、前記第２の表現の第１の部分中に含まれ、前記ロケーションの情報は、前記第２の表現の第２の部分中に含まれており、または、
前記方法は、
ＰｒｏＳｅ発見通信を使用して、前記ユーザデバイスから、第３の表現をブロードキャストし、前記第３の表現は、サービスの第２のアナウンスを含むことと、
前記第３の表現の１つ以上の部分の第２のハッシュを発生させることと、
前記第２の表現中に、前記第２のハッシュを含めることとをさらに含む請求項６記載の方法。
【請求項８】
前記第１のハッシュと前記第２のハッシュは、前記第２の表現の第１の部分中に含まれ、前記ロケーションの情報は、前記第２の表現の第２の部分中に含まれており、または、
前記方法は、前記第１のハッシュと前記第２のハッシュとのうちの少なくとも１つを切り捨てることをさらに含む請求項７記載の方法。
【請求項９】
ワイヤレス通信のための装置において、
近接サービスＰｒｏＳｅ発見通信を使用して、ユーザデバイスから、第１の表現をブロードキャストし、前記第１の表現は、サービスの第１のアナウンスを含む手段を具備し、
ＰｒｏＳｅ発見通信を使用して、前記ユーザデバイスから、第２の表現をブロードキャストし、前記第２の表現は、ユーザデバイスのロケーションと前記第１のアナウンスに関係付けられている識別子とを含む手段により特徴付けられる装置。
【請求項１０】
ワイヤレス通信の方法において、
近接サービスＰｒｏＳｅ発見通信を使用して、ユーザデバイスから、第１の表現を受信し、前記第１の表現は、サービスのアナウンスを含むことを含み、
ＰｒｏＳｅ発見通信を使用して、前記ユーザデバイスから、第２の表現を受信し、前記第２の表現は、ユーザデバイスのロケーションと第１のアナウンスに関係付けられている識別子とを含むことと、
前記第２の表現から、前記ユーザデバイスのロケーションを決定することとによって特徴付けられる方法。
【請求項１１】
表現メタデータサーバと通信して、前記第１のアナウンスに関係付けられている前記識別子を受信することと、
前記識別子を前記第２の表現の一部分として識別することによって、前記第２の表現を前記第１の表現に関係付けることとをさらに含み、
前記識別子は、前記第２の表現の第１の部分中に含まれ、前記ユーザデバイスのロケーションは、前記第２の表現の第２の部分中に含まれている請求項１０記載の方法。
【請求項１２】
前記第１の表現の１つ以上の部分のハッシュを発生させることと、
前記ハッシュを前記第２の表現の一部分として識別することによって、前記第２の表現を前記第１の表現に関係付けることとをさらに含む請求項１０記載の方法。
【請求項１３】
前記ハッシュは、前記第２の表現の第１の部分中に含まれ、前記ユーザデバイスの前記ロケーションは、前記第２の表現の第２の部分中に含まれており、または、
前記方法は、前記ハッシュを切り捨てることをさらに含み、前記切り捨てられたハッシュを前記第２の表現の一部分として識別することによって、前記第２の表現を前記第１の表現に関係付ける請求項１２記載の方法。
【請求項１４】
ワイヤレス通信のための装置において、
近接サービスＰｒｏＳｅ発見通信を使用して、ユーザデバイスから、第１の表現を受信し、前記第１の表現は、サービスのアナウンスを含む手段を具備し、
ＰｒｏＳｅ発見通信を使用して、前記ユーザデバイスから、第２の表現を受信し、前記第２の表現は、ユーザデバイスのロケーション情報と第１のアナウンスに関係付けられている識別子とを含む手段と、
前記第２の表現から、前記ユーザデバイスのロケーションを決定する手段とによって特徴付けられる装置。
【請求項１５】
プロセッサによって実行されるとき、請求項１から８および１０から１３のうちのいずれか１項の方法を実行するコードを含むコンピュータプログラム。
【手続補正２】
【補正対象書類名】明細書
【補正対象項目名】０１０４
【補正方法】変更
【補正の内容】
【０１０４】
［０１１２］
本開示の先の説明は、当業者が本開示を製造または使用することを可能にするために提供されている。本開示に対するさまざまな修正は、当業者にとって容易に明らかとなり、ここで定義される一般的な原理は、開示の精神または範囲から逸脱することなく他のバリエーションに適用してもよい。本開示を通して、用語「例」または「例示的」は、例またはインスタンスを示すのであり、着目した例に対する任意の選択を意味するものでも、または、要求するものでもない。したがって、本開示は、ここで説明している例および設計に限定するためのものではなく、ここで開示されている原理および新規の特徴と一致して、最も広い範囲にしたがうべきである。
以下に、本願出願の当初の特許請求の範囲に記載された発明を付記する。
［１］  ワイヤレス通信のための方法において、
近接サービス（ＰｒｏＳｅ）発見通信を使用して、ユーザデバイスから、第１の表現をブロードキャストし、前記第１の表現は、サービスの第１のアナウンスを含むことと、
ＰｒｏＳｅ発見通信を使用して、前記ユーザデバイスから、第２の表現をブロードキャストし、前記第２の表現は、前記ユーザデバイスに関連するロケーション情報を含み、前記第１の表現の使用を通して識別可能であることとを含む方法。
［２］  前記第１の表現は、パブリックな表現であり、前記第２の表現は、プライベートな表現である［１］記載の方法。
［３］  前記第２の表現は、前記ユーザデバイスの移動量に少なくとも部分的に基づいて、選択的にブロードキャストされる［１］記載の方法。
［４］  前記ユーザデバイスの移動量が予め決定されているしきい値を下回る場合、前記第１のアナウンスとのアソシエーションのために、前記ロケーション情報を表現メタデータサーバに送信することをさらに含む［３］記載の方法。
［５］  前記第２の表現中に、識別子を含めることをさらに含み、前記識別子は前記第１のアナウンスに関連する［１］記載の方法。
［６］  前記識別子を発生させることと、
前記第１のアナウンスとのアソシエーションのために、前記識別子を表現メタデータサーバに送信することとをさらに含む［５］記載の方法。
［７］  要求を表現メタデータサーバに送信して、前記識別子を発生させて、前記識別子を前記第１のアナウンスに関係付けることをさらに含む［５］記載の方法。
［８］  前記識別子は、前記第２の表現の第１の部分中に含まれ、前記ロケーション情報は、前記第２の表現の第２の部分中に含まれている［５］記載の方法。
［９］  前記第１の表現の１つ以上の部分の第１のハッシュを発生させることと、
前記第２の表現中に、前記第１のハッシュを含めることとをさらに含む［１］記載の方法。
［１０］  前記第１のハッシュは、前記第２の表現の第１の部分中に含まれ、前記ロケーション情報は、前記第２の表現の第２の部分中に含まれている［９］記載の方法。
［１１］  ＰｒｏＳｅ発見通信を使用して、前記ユーザデバイスから、第３の表現をブロードキャストし、前記第３の表現は、サービスの第２のアナウンスを含むことと、
前記第３の表現の１つ以上の部分の第２のハッシュを発生させることと、
前記第２の表現中に、前記第２のハッシュを含めることとをさらに含む［９］記載の方法。
［１２］  前記第１のハッシュと前記第２のハッシュは、前記第２の表現の第１の部分中に含まれ、前記ロケーション情報は、前記第２の表現の第２の部分中に含まれている［１１］記載の方法。
［１３］  前記第１のハッシュと前記第２のハッシュとのうちの少なくとも１つを切り捨てることをさらに含む［１１］記載の方法。
［１４］  ワイヤレス通信のための装置において、
近接サービス（ＰｒｏＳｅ）発見通信を使用して、ユーザデバイスから、第１の表現をブロードキャストし、前記第１の表現は、サービスの第１のアナウンスを含む手段と、
ＰｒｏＳｅ発見通信を使用して、前記ユーザデバイスから、第２の表現をブロードキャストし、前記第２の表現は、前記ユーザデバイスに関連するロケーション情報を含み、前記第１の表現の使用を通して識別可能である手段とを具備する装置。
［１５］  前記第１の表現は、パブリックな表現であり、前記第２の表現は、プライベートな表現である［１４］記載の装置。
［１６］  前記第２の表現中に、識別子を含め、前記識別子は前記第１のアナウンスに関連する手段をさらに具備する［１４］記載の装置。
［１７］  前記識別子を発生させる手段と、
前記第１のアナウンスとのアソシエーションのために、前記識別子を表現メタデータサーバに送信する手段とをさらに具備する［１６］記載の装置。
［１８］  要求を表現メタデータサーバに送信して、前記識別子を発生させて、前記識別子を前記第１のアナウンスに関係付ける手段をさらに具備する［１６］記載の装置。
［１９］  前記識別子は、前記第２の表現中に、プリフィックスとして含まれ、前記ロケーション情報は、前記第２の表現中に、サフィックスとして含まれている［１６］記載の装置。
［２０］  前記第１の表現の１つ以上の部分の第１のハッシュを発生させる手段と、
前記第２の表現中に、前記第１のハッシュを含める手段とをさらに具備する［１４］記載の装置。
［２１］  前記第１のハッシュは、前記第２の表現の第１の部分中に含まれ、前記ロケーション情報は、前記第２の表現の第２の部分中に含まれている［２０］記載の装置。
［２２］  ＰｒｏＳｅ発見通信を使用して、前記ユーザデバイスから第３の表現をブロードキャストし、前記第３の表現は、サービスの第２のアナウンスを含む手段と、
前記第３の表現の１つ以上の部分の第２のハッシュを発生させる手段と、
前記第２の表現中に、前記第２のハッシュを含める手段とをさらに具備する［２０］記載の装置。
［２３］  前記第１のハッシュと前記第２のハッシュは、前記第２の表現の第１の部分中に含まれ、前記ロケーション情報は、前記第２の表現の第２の部分中に含まれている［２２］記載の装置。
［２４］  ワイヤレス通信のために構成されている装置において、
少なくとも１つのプロセッサと、
前記少なくとも１つのプロセッサに結合されているメモリとを具備し、
前記少なくとも１つのプロセッサは、
近接サービス（ＰｒｏＳｅ）発見通信を使用して、ユーザデバイスから、第１の表現をブロードキャストし、前記第１の表現は、サービスの第１のアナウンスを含むようにと、
ＰｒｏＳｅ発見通信を使用して、前記ユーザデバイスから、第２の表現をブロードキャストし、前記第２の表現は、前記ユーザデバイスに関連するロケーション情報を含み、前記第１の表現の使用を通して識別可能であるように構成されている装置。
［２５］  ワイヤレス通信の方法において、
近接サービス（ＰｒｏＳｅ）発見通信を使用して、ユーザデバイスから、第１の表現を受信し、前記第１の表現は、サービスのアナウンスを含むことと、
ＰｒｏＳｅ発見通信を使用して、前記ユーザデバイスから、第２の表現を受信し、前記第２の表現は、前記第１の表現の使用を通して識別可能であることと、
前記第２の表現から、前記ユーザデバイスのロケーションを決定することとを含む方法。
［２６］  表現メタデータサーバと通信して、前記アナウンスに関係付けられている識別子を受信することと、
前記識別子を前記第２の表現の一部分として識別することによって、前記第２の表現を前記第１の表現に関係付けることとをさらに含む［２５］記載の方法。
［２７］  前記識別子は、前記第２の表現の第１の部分中に含まれ、前記ユーザデバイスの前記ロケーションは、前記第２の表現の第２の部分中に含まれている［２６］記載の方法。
［２８］  前記第１の表現の１つ以上の部分のハッシュを発生させることと、
前記ハッシュを前記第２の表現の一部分として識別することによって、前記第２の表現を前記第１の表現に関係付けることとをさらに含む［２５］記載の方法。
［２９］  前記ハッシュは、前記第２の表現の第１の部分中に含まれ、前記ユーザデバイスの前記ロケーションは、前記第２の表現の第２の部分中に含まれている［２８］記載の方法。
［３０］  前記ハッシュを切り捨てることをさらに含み、前記切り捨てられたハッシュを前記第２の表現の一部分として識別することによって、前記第２の表現を前記第１の表現に関係付ける［２８］記載の方法。